【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
情報システムによって管理されたハイパーテキスト群に対して、指定されたハイパーテキストを含むハイパーテキスト集合を選択する選択手段と、
選択手段によって選択されたハイパーテキスト集合の個々のハイパーテキストと前記指定されたハイパーテキストとの間のリンク距離を算出する距離算出手段と、
選択手段によって選択されたハイパーテキスト集合の個々のハイパーテキストと前記指定されたハイパーテキストとの間の遷移度合いを表す関連度を算出する関連度算出手段と、
距離算出手段によって算出された値を半径に対応付けるとともに関連度算出手段によって算出された値を角度に対応付けて、前記選択された個々のハイパーテキストを図形化して極座標系上に表示する図形化表示手段と、
を備えたことを特徴とするＷｅｂサイトの構成変更支援装置。
【請求項２】
情報システムによって管理されたハイパーテキスト群に対して、指定されたハイパーテキストを含むハイパーテキスト集合を選択する選択手段と、
選択手段によって選択されたハイパーテキスト集合の個々のハイパーテキストと前記指定されたハイパーテキストとの間のリンク距離を算出する距離算出手段と、
選択手段によって選択されたハイパーテキスト集合の個々のハイパーテキストと前記指定されたハイパーテキストとの間のアクセス遷移度合いを表す関連度を算出する関連度算出手段と、
距離算出手段によって算出された値を一方の軸に対応付けるとともに関連度算出手段によって算出された値をもう一方の軸に対応付けて、前記選択された個々のハイパーテキストを図形化して２次元直交座標系上に表示する図形化表示手段と、
を備えたことを特徴とするＷｅｂサイトの構成変更支援装置。
【請求項３】
請求項１又は請求項２に記載のＷｅｂサイトの構成変更支援装置において、
距離算出手段は、前記指定されたハイパーテキストと選択手段により選択されたハイパーテキスト集合の個々のハイパーテキストとの間をリンクを遷移して移動するために経由するハイパーテキストの数の最小値を、当該指定されたハイパーテキストと当該選択されたハイパーテキスト集合の個々のハイパーテキストとの間のリンク距離として算出することを特徴とするＷｅｂサイトの構成変更支援装置。
【請求項４】
請求項１又は請求項２に記載のＷｅｂサイトの構成変更支援装置において、
距離算出手段は、前記指定されたハイパーテキストと選択手段により選択されたハイパーテキスト集合の個々のハイパーテキストとの間をリンクの向きを考慮して同一方向のみにリンクを遷移して移動するために経由するハイパーテキストの数を、当該指定されたハイパーテキストと当該選択されたハイパーテキスト集合の個々のハイパーテキストとの間のリンク距離として算出し、算出されたリンク距離が予め定められた値を超える場合には予め定められた設定値を距離とすることを特徴とするＷｅｂサイトの構成変更支援装置。
【請求項５】
請求項１又は請求項２に記載のＷｅｂサイトの構成変更支援装置において、
距離算出手段は、前記指定されたハイパーテキストから選択手段により選択されたハイパーテキスト集合の個々のハイパーテキストに至るまでに、個々のユーザが経由したハイパーテキストの数の平均値をリンク距離として算出することを特徴とするＷｅｂサイトの構成変更支援装置。
【請求項６】
請求項１又は請求項２に記載のＷｅｂサイトの構成変更支援装置において、
関連度算出手段は、前記指定されたハイパーテキストを閲覧したユーザ集合中の、選択手段によって選択されたハイパーテキスト集合の個々のハイパーテキストを訪れたユーザの割合を個々のハイパーテキストの関連度とすることを特徴とするＷｅｂサイトの構成変更支援装置。
【請求項７】
請求項１乃至請求項６のいずれか１項に記載のＷｅｂサイトの構成変更支援装置において、
図形化表示手段は、距離算出手段により距離を算出する際に経由したハイパーテキストが選択手段によって選択されたハイパーテキスト集合に含まれていない場合には、当該ハイパーテキストを前記選択手段によって選択されたハイパーテキスト集合と区別可能な態様で画面に表示することを特徴とするＷｅｂサイトの構成変更支援装置。
【請求項８】
請求項１乃至請求項７のいずれか１項に記載のＷｅｂサイトの構成変更支援装置において、
図形化表示手段は、表示すべきハイパーテキスト集合を構成する個々のハイパーテキストを構成するタグとタグ中に含まれる要素の組み合わせを抽出して個々のハイパーテキストの特徴を抽出し、抽出された特徴についてのハイパーテキスト集合における重要度と個々のハイパーテキストにおける重要度から、各特徴の個々のハイパーテキストにおける他のハイパーテキストとの識別度を算出し、算出された識別度に基づいて各ハイパーテキストを表す図形を決定して表示することを特徴とするＷｅｂサイトの構成変更支援装置。
【請求項９】
請求項１乃至請求項８のいずれか１項に記載のＷｅｂサイトの構成変更支援装置において、
図形化したハイパーテキストの表示位置に応じて、予め定められた座標領域に存在するハイパーテキストについてハイパーテキスト構造に問題が有る可能性のある候補として提示する変更候補提示手段を有することを特徴とするＷｅｂサイトの構成変更支援装置。
【請求項１０】
請求項１乃至請求項９のいずれか１項に記載のＷｅｂサイトの構成変更支援装置において、
各ハイパーテキストを表す図形の座標系における重なりを判断する重なり判定手段を有し、
重なり判定手段が重なりを判定した場合には、図形化表示手段は座標系に奥行き方向の軸を設定し、奥行き方向の座標をずらして３次元表示することを特徴とするＷｅｂサイトの構成変更支援装置。
【請求項１１】
請求項１乃至請求項１０のいずれか１項に記載のＷｅｂサイトの構成変更支援装置において、
ハイパーテキスト群に対するアクセス履歴に基づいて当該ハイパーテキスト群をクラスタリングしたログクラスタ集合と、ハイパーテキスト群を個々のハイパーテキスト間の内容の類似度に基づいてクラスタリングしたコンテンツクラスタ集合とを用意し、
選択手段は、ログクラスタ集合から前記指定されたハイパーテキストを含むログクラスタを選出し、これらログクラスタに含まれるコンテンツクラスタをコンテンツクラスタ集合から選出し、当該選出されたコンテンツクラスタに対応するログクラスタに含まれるハイパーテキストを距離算出及び関連度算出の対象となるハイパーテキスト集合として選択することを特徴とするＷｅｂサイトの構成変更支援装置。
【請求項１２】
情報システムによって管理されたハイパーテキスト群に対して、指定されたハイパーテキストを含むハイパーテキスト集合を選択する選択手段と、
選択手段によって選択されたハイパーテキスト集合の個々のハイパーテキストと前記指定されたハイパーテキストとの間のリンク距離を算出する距離算出手段と、
選択手段によって選択されたハイパーテキスト集合の個々のハイパーテキストと前記指定されたハイパーテキストとの間の遷移度合いを表す関連度を算出する関連度算出手段と、
距離算出手段によって算出された値を半径に対応付けるとともに関連度算出手段によって算出された値を角度に対応付けて、前記選択された個々のハイパーテキストを図形化して極座標系上に表示する図形化表示手段と、
をコンピュータにより実現するプログラムを読み取り可能に記憶した記憶媒体。
【請求項１３】
情報システムによって管理されたハイパーテキスト群に対して、指定されたハイパーテキストを含むハイパーテキスト集合を選択する選択手段と、
選択手段によって選択されたハイパーテキスト集合の個々のハイパーテキストと前記指定されたハイパーテキストとの間のリンク距離を算出する距離算出手段と、
選択手段によって選択されたハイパーテキスト集合の個々のハイパーテキストと前記指定されたハイパーテキストとの間のアクセス遷移度合いを表す関連度を算出する関連度算出手段と、
距離算出手段によって算出された値を一方の軸に対応付けるとともに関連度算出手段によって算出された値をもう一方の軸に対応付けて、前記選択された個々のハイパーテキストを図形化して２次元直交座標系上に表示する図形化表示手段と、
をコンピュータにより実現するプログラムを読み取り可能に記憶した記憶媒体。
【請求項１４】
支援装置に備えられた選択手段と、距離算出手段と、関係度算出手段と、図形化表示手段とにより行うＷｅｂサイトの構成変更支援方法であって、
選択手段が、情報システムによって管理されたハイパーテキスト群に対して、指定されたハイパーテキストを含むハイパーテキスト集合を選択し、
距離算出手段が、選択手段によって選択されたハイパーテキスト集合の個々のハイパーテキストと前記指定されたハイパーテキストとの間のリンク距離を算出し、
関連度算出手段が、選択手段によって選択されたハイパーテキスト集合の個々のハイパーテキストと前記指定されたハイパーテキストとの間の遷移度合いを表す関連度を算出し、
図形化表示手段が、距離算出手段によって算出された値を半径に対応付けるとともに関連度算出手段によって算出された値を角度に対応付けて、前記選択された個々のハイパーテキストを図形化して極座標系上に表示することを特徴とするＷｅｂサイトの構成変更支援方法。